(57)【要約】【課題】品質保持剤を取り外すのを忘れて誤操作で使用するおそれがなく、確実に固形物を液体に溶解することが可能で、固形物が変質することなく使用でき、しかも、使用に際して便利である固形物溶解用容器、および固形物溶解用キットを提供する。【解決手段】使用時に液体による溶解が必要な固形物Ｂのための固形物溶解用容器１０であって、固形物Ｂを収容する容器本体１２と、容器本体１２の口部１４内壁に脱着自在に係止され、内部に固形物の品質保持剤Ａを収容した略カップ形状のカップ部材１８と、カップ部材１８を覆うように、容器本体１２の口部１４に脱着自在に係止される外キャップ部材２６とを備える。【選択図】図１
2013133123.tif 000002
【特許請求の範囲】
【請求項１】
使用時に液体による溶解が必要な固形物のための固形物溶解用容器であって、
前記固形物を収容する容器本体と、
前記容器本体の口部内壁に脱着自在に係止され、内部に固形物の品質保持剤を収容する略カップ形状のカップ部材と、
前記カップ部材を覆うように、容器本体の口部に脱着自在に係止される外キャップ部材とを備えることを特徴とする固形物溶解用容器。
【請求項２】
前記カップ部材が、使用時に液体によって溶解された固形物を計量するための計量カップとして使用可能に構成されていることを特徴とする請求項１に記載の固形物溶解用容器。
【請求項３】
使用時に液体による溶解が必要な固形物のための固形物溶解用容器であって、
前記固形物を収容する容器本体と、
前記容器本体の口部内壁に脱着自在に係止され、内部に固形物の品質保持剤を収容するカップ部材と、
前記カップ部材を覆うように、容器本体の口部に脱着自在に係止される外キャップ部材とを備える固形物溶解用容器から構成されていることを特徴とする固形物溶解用キット。
【請求項４】
前記カップ部材が、使用時に液体によって溶解された固形物を計量するための計量カップとして使用可能に構成されていることを特徴とする請求項３に記載の固形物溶解用キット。
固形物固形物
【請求項５】
使用時に液体による溶解が必要な固形物のための固形物溶解用容器であって、
前記固形物を収容する容器本体と、
前記容器本体の口部内壁に脱着自在に係止され、内部に固形物の品質保持剤を収容するカップ部材と、
前記カップ部材を覆うように、容器本体の口部に脱着自在に係止される外キャップ部材とを備える固形物溶解用容器と、
使用時に、容器本体の口部からカップ部材を取り外して、固形物溶解用容器内に液体を注入した後に、容器本体口部に装着され、容器本体から溶解した固形物を取り出すための取り出し開口部が形成された中栓部材と、
から構成されていることを特徴とする固形物溶解用キット。
【請求項６】
前記容器本体が押圧可能な材料から構成され、容器本体を押圧することによって、中栓部材の取り出し開口部を介して、容器本体から溶解した固形物を取り出すことが可能に構成されていることを特徴とする請求項５に記載の固形物溶解用キット。
【請求項７】
前記中栓部材の取り出し開口部に脱着自在に装着して、容器本体から溶解した固形物を取り出すことが可能な注入器を備えていることを特徴とする請求項５に記載の固形物溶解用キット。
【請求項８】
前記中栓部材の取り出し開口部が、開閉可能に構成されていることを特徴とする請求項６から７のいずれかに記載の固形物溶解用キット。
【発明の詳細な説明】
【技術分野】
【０００１】
本発明は、使用時に液体による溶解が必要な固形物のための固形物溶解用容器、および固形物溶解用キットに関する。
【背景技術】
【０００２】
従来、例えば、顆粒剤、粉末剤、錠剤などの固形物で、保存の際には、乾燥剤、脱酸素剤などの品質保持剤を必要とし、使用時に液体による溶解が必要な固形物を使用する場合には、これらの固形物の品質劣化を防ぐために、包装容器などに固形物を個装包装している。
【０００３】
そして、固形物を液体に溶解して使用する場合には、包装容器から固形物を、別途用意した溶解容器などに入れ、その後、液体を溶解容器に注入して、溶解容器の蓋を閉めて、容器内の固形物と液体を撹拌して溶解している。溶解後に、溶解容器の蓋を開けて、別途用意した計量カップで計量して使用することが行われている。
【０００４】
また、特許文献１（特開２００８−１６２５９３号公報）を簡略模式した図２１に示したように、上記の包装容器などに固形物を個装包装する代わりに、外蓋部材１０２の下面に、例えば、乾燥剤などの品質保持剤Ａを収容した略カップ形状のポケット部材１０４を装着した容器１００で、破断部１０６を設けることにより、容器本体１０８の口部１１０から、外蓋部材１０２を開蓋したことが分かるとともに、外蓋部材１０２を押し下げて開蓋方向に回転させなければ、外蓋部材１０２を開蓋することができないように構成した、容器１００が提案されている。この容器１００を使って、容器本体内に固形物を保存することも行われている。
【先行技術文献】
【特許文献】
【０００５】
【特許文献１】特開２００８−１６２５９３号公報
【発明の概要】
【発明が解決しようとする課題】
【０００６】
しかしながら、このような従来の包装容器などに固形物を個装包装したものでは、別途溶解容器などを準備しなければならず、使用に際して不便である。
【０００７】
また、特許文献１のように、外蓋部材１０２の下面に品質保持剤Ａを収容したポケット部材１０４を装着した容器１００では、固形物の品質を保持できるが、この容器１００に液体を注入して、容器１００の外蓋部材１０２を閉めて、固形物を溶解しようとすると、ポケット部材１０４に収容した品質保持剤Ａが液体と接触し、その結果、化学反応が起こって、固形物自体が変質して使用できないことになる。
【０００８】
従って、特許文献１の容器１００でも、固形物を液体に溶解して使用する場合には、別途溶解容器などを準備する必要があり、使用に際して不便である。また、外蓋部材１０２からポケット部材１０４を取り外して、品質保持剤Ａを取り外して外蓋部材を使用しなければならず、誤ってポケット部材１０４、品質保持剤Ａを取り外すのを忘れて誤操作で使用するおそれがあり、使用に際して不便であるとともに固形物が変質して使用できないおそれもある。
【０００９】
本発明は、このような現状に鑑み、別途溶解容器を準備することなく、固形物の保存の際には、容器内に固形物とともに、品質保持剤を収容できるとともに、固形物を液体に溶解して使用する場合には、別途溶解容器などを準備する必要もない固形物溶解用容器、および固形物溶解用キットを提供することを目的とする。
【００１０】
また、本発明は、品質保持剤を取り外すのを忘れて誤操作で使用するおそれがなく、確実に固形物を液体に溶解することが可能で、固形物が変質することなく使用でき、しかも、使用に際して便利である固形物溶解用容器、および固形物溶解用キットを提供することを目的とする。
【課題を解決するための手段】
【００１１】
本発明は、前述したような従来技術における課題及び目的を達成するために発明されたものであって、本発明の固形物溶解用容器は、
使用時に液体による溶解が必要な固形物のための固形物溶解用容器であって、
前記固形物を収容する容器本体と、
前記容器本体の口部内壁に脱着自在に係止され、内部に固形物の品質保持剤を収容する略カップ形状のカップ部材と、
前記カップ部材を覆うように、容器本体の口部に脱着自在に係止される外キャップ部材とを備えることを特徴とする。
【００１２】
また、本発明の固形物溶解用キットは、
使用時に液体による溶解が必要な固形物のための固形物溶解用容器であって、
前記固形物を収容する容器本体と、
前記容器本体の口部内壁に脱着自在に係止され、内部に固形物の品質保持剤を収容するカップ部材と、
前記カップ部材を覆うように、容器本体の口部に脱着自在に係止される外キャップ部材とを備える固形物溶解用容器から構成されていることを特徴とする。
【００１３】
このように構成することによって、固形物の保存の際には、容器内に固形物とともに、内部に固形物の品質保持剤を収容するカップ部材によって、品質保持剤を収容できる。
【００１４】
また、固形物を液体に溶解して使用する場合には、外キャップ部材を容器本体の口部から取り外した後に、内部に固形物の品質保持剤を収容するカップ部材を取り外さなければ、容器本体に液体を注入することができないようになっている。
【００１５】
従って、品質保持剤を取り外すのを忘れて誤操作で使用するおそれがなく、確実に固形物を液体に溶解することが可能で、固形物が変質することなく使用できる。
【００１６】
また、容器本体に液体を注入して、容器本体の口部に、再び外キャップ部材を係止した後、容器本体内の固形物と液体を撹拌して溶解することができる。
【００１７】
従って、固形物を液体に溶解して使用する場合に、別途溶解容器などを準備する必要もなく、確実に固形物を液体に溶解することが可能で、使用に便利である。
【００１８】
また、本発明の固形物溶解用容器および固形物溶解用キットでは、前記カップ部材が、使用時に液体によって溶解された固形物を計量するための計量カップとして使用可能に構成されていることを特徴とする。
【００１９】
このように構成することによって、カップ部材が、使用時に液体によって溶解された固形物を計量するための計量カップとして使用可能であるので、別途計量カップを準備する必要がなく極めて便利である。
【００２０】
また、本発明の固形物溶解用キットは、使用時に液体によって溶解された固形物を計量するための計量カップを備えることを特徴とする。
【００２１】
このように構成することによって、固形物溶解用キットに備えられた計量カップによって、液体によって溶解された固形物を計量することができるので、カップ部材から品質保持剤を取り外す操作が不要となる。
【００２２】
また、本発明の固形物溶解用キットは、
使用時に液体による溶解が必要な固形物のための固形物溶解用容器であって、
前記固形物を収容する容器本体と、
前記容器本体の口部内壁に脱着自在に係止され、内部に固形物の品質保持剤を収容するカップ部材と、
前記カップ部材を覆うように、容器本体の口部に脱着自在に係止される外キャップ部材とを備える固形物溶解用容器と、
使用時に、容器本体の口部からカップ部材を取り外して、固形物溶解用容器内に液体を注入した後に、容器本体口部に装着され、容器本体から溶解した固形物を取り出すための取り出し開口部が形成された中栓部材と、
から構成されていることを特徴とする。
【００２３】
このように構成することによって、容器本体に液体を注入して、中栓部材を容器本体口部に装着し、容器本体の口部に、必要に応じて、再び外キャップ部材を係止した後、容器本体内の固形物と液体を撹拌して溶解することができる。
【００２４】
従って、固形物を液体に溶解して使用する場合に、別途溶解容器などを準備する必要もなく、確実に固形物を液体に溶解することが可能で、使用に便利である。
【００２５】
さらに、外キャップ部材を再び容器本体の口部から取り外して、中栓部材の取り出し開口部を介して、容器本体から溶解した固形物を取り出すことができ便利である。
【００２６】
また、本発明の固形物溶解用キットは、前記容器本体が押圧可能な材料から構成され、容器本体を押圧することによって、中栓部材の取り出し開口部を介して、容器本体から溶解した固形物を取り出すことが可能に構成されていることを特徴とする。
【００２７】
このように構成することによって、押圧可能な材料から構成された容器本体を押圧することによって、中栓部材の取り出し開口部を介して、容器本体から溶解した固形物を取り出すことができ、別途注入器、計量カップなどを必要としない、例えば、経口、経皮吸収、経粘膜、経耳や、塗布剤などの液体以外の外用剤として使用する場合にそのまま使用でき極めて便利である、
また、本発明の固形物溶解用キットは、前記中栓部材の取り出し開口部に脱着自在に装着して、容器本体から溶解した固形物を取り出すことが可能な注入器を備えていることを特徴とする。
【００２８】
このように構成することによって、注入器を、中栓部材の取り出し開口部に装着して、容器本体から溶解した固形物を取り出すことができ、注入器で正確な計量ができるとともに、周囲を汚染することがなく極めて便利である。
【００２９】
また、本発明の固形物溶解用キットは、前記中栓部材の取り出し開口部が、開閉可能に構成されていることを特徴とする。
【００３０】
このように構成することによって、不用意に中栓部材の取り出し開口部を介して、流体に溶解した固形物が容器本体から漏洩するのを防止することができる。また、この場合、注入器を中栓部材の取り出し開口部に装着した際に、中栓部材の取り出し開口部が開放されるので便利である。
【発明の効果】
【００３１】
本発明によれば、固形物の保存の際には、容器内に固形物とともに、内部に固形物の品質保持剤を収容するカップ部材によって、品質保持剤を収容できる。
【００３２】
また、固形物を液体に溶解して使用する場合には、外キャップ部材を容器本体の口部から取り外した後に、内部に固形物の品質保持剤を収容するカップ部材を取り外さなければ、容器本体に液体を注入することができないようになっている。
【００３３】
従って、品質保持剤を取り外すのを忘れて誤操作で使用するおそれがなく、確実に固形物を液体に溶解することが可能で、固形物が変質することなく使用できる。
【００３４】
また、容器本体に液体を注入して、容器本体の口部に、再び外キャップ部材を係止した後、容器本体内の固形物と液体を撹拌して溶解することができる。
【００３５】
従って、固形物を液体に溶解して使用する場合に、別途溶解容器などを準備する必要もなく、確実に固形物を液体に溶解することが可能で、使用に便利である。
【図面の簡単な説明】
【００３６】
【図１】図１は、右半分を縦断面図で示した本発明の固形物溶解用容器の正面図である。
【図２】図２は、右半分を縦断面図で示した本発明の別の実施例の固形物溶解用容器（固形物溶解用キット）の正面図である。
【図３】図３は、図２の固形物溶解用容器（固形物溶解用キット）の縦断面図である。
【図４】図４は、右半分を縦断面図で示した本発明の別の実施例の固形物溶解用容器の正面図である。
【図５】図５は、図４の固形物溶解用容器の縦断面図である。
【図６】図６は、右半分を縦断面図で示した本発明の別の実施例の固形物を液体で溶解する状態を説明する固形物溶解用容器の正面図である。
【図７】図７は、図６の固形物溶解用容器の縦断面図である。
【図８】図８は、本発明の固形物溶解用キットの概略図である。
【図９】図９は、本発明の固形物溶解用キットの使用方法を説明する概略図である。
【図１０】図１０は、本発明の固形物溶解用キットの使用方法を説明する概略図である。
【図１１】図１１は、本発明の固形物溶解用キットの使用方法を説明する概略図である。
【図１２】図１２は、本発明の固形物溶解用キットの概略図である。
【図１３】図１３は、本発明の固形物溶解用キットの使用方法を説明する概略図である。
【図１４】図１４は、本発明の固形物溶解用キットの使用方法を説明する概略図である。
【図１５】図１５は、本発明の固形物溶解用キットの使用方法を説明する概略図である。
【図１６】図１６は、本発明の固形物溶解用キットの概略図である。
【図１７】図１７は、本発明の固形物溶解用キットの使用方法を説明する概略図である。
【図１８】図１８は、本発明の固形物溶解用キットの使用方法を説明する概略図である。
【図１９】図１９は、本発明の固形物溶解用キットの概略図である。
【図２０】図２０は、本発明の固形物溶解用キットの使用方法を説明する概略図である。
【図２１】図２１は、従来の容器の縦断面図である。
【発明を実施するための形態】
【００３７】
以下、本発明の実施の形態（実施例）を図面に基づいてより詳細に説明する。
【実施例１】
【００３８】
図１は、右半分を縦断面図で示した本発明の固形物溶解用容器の正面図である。
【００３９】
図１において、符号１０は、全体で本発明の固形物溶解用容器を示している。
【００４０】
図１に示したように、本発明の固形物溶解用容器１０は、ボトル形状の容器本体１２を備えている。そして、容器本体１２の内部には、例えば、顆粒剤、粉末剤、錠剤などの固形物で、保存の際には、品質保持剤Ａを必要とし、使用時に液体による溶解が必要な固形物Ｂが収容されている、
なお、この場合、固形物Ｂとしては、例えば、投与経路として、溶解後に経口、経皮吸収、経粘膜、経耳、塗布剤などの液体以外の外用剤が使用されるが、特に限定されるものではない。
【００４１】
従って、本発明で「固形物」とは、顆粒剤、粉末剤、錠剤、投与経路として、溶解後に経口、経皮吸収、経粘膜、経耳、塗布剤などの液体以外の外用剤、ゲル状、半ゲル状、すなわち、ある程度粘性を有するゲル状の半固形物など、その他の液体以外のものを全て含む意味である。
【００４２】
この場合、「ある程度粘性を有する」とは、例えば、容器内部に粘着し、容器を倒立しても垂れ落ちることのない程度の粘性を意味する。
【００４３】
また、品質保持剤Ａとしては、固形物Ｂが変質しないような品質保持剤であって、例えば、シリカゲルなどの乾燥剤、脱酸素剤、脱臭剤などが使用可能であり、特に限定されるものではない。
【００４４】
また、この場合、「溶解」とは、液体に完全に溶解する状態、一部が溶解した状態、懸濁液になる状態などを含む意味である。
【００４５】
また、容器本体１２の口部１４の内壁１６には、内部に固形物Ｂの品質保持剤Ａを収容した略カップ形状のカップ部材１８が、脱着自在に係止されている。
【００４６】
すなわち、カップ部材１８の上端には、外周側に突設するフランジ２０が形成されており、このフランジ２０を、容器本体１２の口部１４の内壁１６の上部に形成された段部２２に係止することにより、カップ部材１８が、容器本体１２の口部１４の内壁１６に脱着自在に係止されている。
【００４７】
また、このカップ部材１８の上端には、内側に一部が突設するように形成された摘み片２４が形成されている、この摘み片２４は、カップ部材１８を容器本体１２の口部１４の内壁１６から取り出す際に、指などで操作し易いように設けられている。
【００４８】
また、カップ部材１８の底部には、通気用の通気孔１８ｂが形成されている。なお、この通気用の通気孔１８ｂは、品質保持剤Ａの品質保持効果を容器本体１２に収容した固形物Ｂに与えるためのものであって、その形状、数、配置位置などは特に限定されるものではない。
【００４９】
さらに、カップ部材１８を覆うように、容器本体１２の口部１４に脱着自在に係止される外キャップ部材２６を備えている。
【００５０】
この外キャップ部材２６は、有底筒状のキャップ本体２８を備えており、キャップ本体２８は、頂壁３０と、この頂壁３０から下方に延設された側壁３２を備えている。そして、キャップ本体の側壁３２の下端には、帯状係止部３６が、破断部３８を介して連結されている。
【００５１】
また、キャップ本体２８は、この帯状係止部３６の下端に形成された、折り返し係止片４０により、容器本体１２の口部１４の外壁の下部に突設された係止フランジ３４に係止されるように構成されている。
【００５２】
さらに、キャップ本体２８の側壁３２の内周に形成された雌ネジ４２を、容器本体１２の口部１４の外壁の上部に形成された雄ネジ４４に螺合することにより、キャップ本体２８が容器本体１２の口部１４に脱着自在に係止されている。
【００５３】
また、キャップ本体２８の頂壁３０の下面には、環状の係合部４６が形成されており、この係合部４６に、シールキャップ部材４８が嵌着されている。これにより、シールキャップ部材４８の外周のシール部５０が、キャップ本体２８の頂壁３０の下面と、容器本体１２の口部１４の上端との間で挟持されて、シール機能を維持するようになっている。
【００５４】
一方、外キャップ部材２６が、キャップ本体２８に被せた状態で装着されており、この外キャップ部材２６は、頂壁５４と、この頂壁５４から下方に延設された側壁５６を備えている。
【００５５】
そして、この外キャップ部材２６の側壁５６の内壁の下端に形成された係止用フランジ５２ａを拡径して、キャップ本体２８の側壁３２の外壁に形成された係止用凸部３２ａに係止することにより、外キャップ部材２６をキャップ本体２８に対して回転することができるように構成されている。
【００５６】
なお、外キャップ部材２６の側壁５６の外壁には、操作用溝部６６が形成されている。
【００５７】
さらに、外キャップ部材２６の側壁５６の内壁の上端の隅角部には、開蓋用回転当接片６８が形成されている。この開蓋用回転当接片６８に対応して、キャップ本体２８の頂壁３０の上面には、複数の回転用当接片７０が一定間隔離間して円周方向に形成されている。
【００５８】
また、外キャップ部材２６の頂壁５４の下面には、バネ片７４が形成されており、このバネ片７４に対応して、キャップ本体２８の頂壁３０の上面には、複数のバネ当接部７２が一定間隔離間して円周方向に形成されている。
【００５９】
このように構成することによって、通常の状態では、バネ片７４の付勢力によって、外キャップ部材２６が、キャップ本体２８に対して離間した位置にある。
【００６０】
従って、この状態では、図１の矢印Ａ方向、すなわち、開蓋方向に外キャップ部材２６を回転した場合には、外キャップ部材２６の開蓋用回転当接片６８と、キャップ本体２８の頂壁３０に形成された回転用当接片７０が当接しない状態となっている。
【００６１】
また、この状態では、開蓋方向に外キャップ部材２６を回転した場合には、バネ片７４の先端部が、キャップ本体２８の頂壁３０に形成されたバネ当接部７２のテーパー部７６に沿って案内されていわゆる空回り状態となるようになっている。
【００６２】
従って、通常の状態で、図１の矢印Ａ方向、すなわち、開蓋方向に外キャップ部材２６を回転した場合には、外キャップ部材２６を、容器本体１２の口部１４から取り外すことができないように構成されている。
【００６３】
これに対して、図１の矢印Ｂ方向、すなわち、外キャップ部材２６を容器本体１２の方向に押圧しながら、図１の矢印Ａ方向、すなわち、開蓋方向に外キャップ部材２６を回転した場合には、バネ片７４の付勢力に抗して、外キャップ部材２６が、キャップ本体２８に対して接近した位置になる。
【００６４】
これにより、外キャップ部材２６の開蓋用回転当接片６８と、キャップ本体２８の頂壁３０に形成された回転用当接片７０が当接した状態となる。
【００６５】
その結果、外キャップ部材２６の回転に伴って、キャップ本体２８が回転して、キャップ本体２８の側壁３２の内周に形成された雌ネジ４２が、容器本体１２の口部１４の外壁の上部に形成された雄ネジ４４に案内され、キャップ本体２８が、容器本体１２の口部１４から離間する方向に移動する。
【００６６】
この際、キャップ本体２８の側壁３２の下端の帯状係止部３６は、その下端に形成された折り返し係止片４０により、容器本体１２の口部１４の外壁の下部に突設された係止フランジ３４に係止され上下の位置移動が規制された状態である。
【００６７】
これに対して、キャップ本体２８の側壁３２が上方に移動するので、キャップ本体２８の側壁３２と帯状係止部３６とが、破断部３８で破断されて分離されることになる。これにより、外キャップ部材２６を容器本体１２の口部１４から開蓋することができるとともに、開蓋したことが分かるように構成されている。
【００６８】
このように構成することによって、外キャップ部材２６を押し下げて、開蓋方向に回転させなければ、外キャップ部材２６を開蓋することができないように構成されており、例えば、幼児などが誤って開蓋することができないように構成されている。
【００６９】
また、いったん容器本体１２の口部１４から開蓋した外キャップ部材２６を、再び、図１の矢印Ｃ方向に、すなわち、閉蓋方向に外キャップ部材２６を回転した場合には、バネ片７４の先端部が、キャップ本体２８の頂壁３０に形成されたバネ当接部７２に当接するので、外キャップ部材２６を回転に伴って、キャップ本体２８が締め付け方向に回転して、容器本体１２の口部１４に、再び外キャップ部材２６を係止できるように構成されている。
【００７０】
このように構成される発明の固形物溶解用容器１０では、固形物Ｂの保存の際には、容器本体１２内に固形物Ｂとともに、内部に固形物Ｂの品質保持剤Ａを収容した略カップ形状のカップ部材１８によって、品質保持剤を収容できる。
【００７１】
また、固形物Ｂを液体に溶解して使用する場合には、後述するように、外キャップ部材２６を容器本体１２の口部１４から取り外した後に、内部に固形物Ｂの品質保持剤Ａを収容した略カップ形状のカップ部材１８を取り外さなければ、容器本体１２に液体を注入することができないようになっている。
【００７２】
従って、品質保持剤Ａを取り外すのを忘れて誤操作で使用するおそれがなく、確実に固形物Ｂを液体に溶解することが可能で、固形物Ｂが変質することなく使用できる。
【００７３】
また、容器本体１２に液体を注入して、容器本体１２の口部１４に、再び外キャップ部材２６を係止した後、容器本体１２内の固形物Ｂと液体を撹拌して溶解することができる。
【００７４】
従って、固形物Ｂを液体に溶解して使用する場合に、別途溶解容器などを準備する必要もなく、確実に固形物Ｂを液体に溶解することが可能で、使用に便利である。
【００７５】
なお、本発明の固形物溶解用容器１０において、容器本体１２の材質は、特に限定されるものではなく、例えば、ガラス、アルミニウムなどの金属、樹脂などから構成することができる。この場合、軽量、操作性などから樹脂から構成するのが望ましく、使用できる樹脂としては特に限定されるものではなく、例えば、ポリエチレン樹脂（ＰＥ）、ポリプロピレン樹脂（ＰＰ）、ポリエチレンテレフタレート樹脂（ＰＥＴ）などが使用可能である。
【００７６】
また、容器本体１２は、不透明、半透明、透明とすることができ、半透明、透明の場合には、液体による固形物Ｂの溶解の際に、加える液体の量を外部から目視しやすいように目盛などを形成しているのが望ましい。
【００７７】
外キャップ部材２６は、樹脂から構成するのが望ましく、使用できる樹脂としては特に限定されるものではなく、例えば、ポリエチレン樹脂（ＰＥ）、ポリプロピレン樹脂（ＰＰ）、ポリエチレンテレフタレート樹脂（ＰＥＴ）などが使用可能である。
【実施例２】
【００７８】
図２は、右半分を縦断面図で示した本発明の別の実施例の固形物溶解用容器（固形物溶解用キット）の正面図、図３は、図２の固形物溶解用容器（固形物溶解用キット）の縦断面図である。
【００７９】
この実施例の固形物溶解用容器１０は、図１に示した固形物溶解用容器１０と基本的には同様な構成であり、同一の構成部材には、同一の参照番号を付して、その詳細な説明を省略する。
【００８０】
なお、この場合、この実施例の固形物溶解用容器１０は、固形物溶解用容器１０のみで、固形物溶解用キットを構成する。
【００８１】
この実施例の固形物溶解用容器１０は、図２〜図３に示したように、カップ部材１８の側壁１８ａの長さが長くなっており、後述するように、カップ部材１８が、使用時に液体によって溶解された固形物を計量するための計量カップとして使用可能に構成されている。
【００８２】
なおこの場合、上記実施例１では、カップ部材１８の底部には、通気用の通気孔１８ｂが形成されていたが、カップ部材１８を計量カップとして使用するために、通気孔１８ｂは形成されていない。その代りに、カップ部材１８の上端の外周側に突設するフランジ２０に、通気用溝部２０ａを形成することによって、品質保持剤Ａの品質保持効果を容器本体１２に収容した固形物Ｂに与えるように構成されている、なお、この通気用溝部２０ａは、その形状、数、配置位置などは特に限定されるものではない。
【００８３】
このように構成することによって、この場合にも、上記実施例１の固形物溶解用容器１０と同様な作用効果を奏することができるとともに、カップ部材１８が、使用時に液体によって溶解された固形物Ｂを計量するための計量カップとして使用可能であるので、別途計量カップを準備する必要がなく極めて便利である。
【実施例３】
【００８４】
図４は、右半分を縦断面図で示した本発明の別の実施例の固形物溶解用容器の正面図、図５は、図４の固形物溶解用容器の縦断面図、図６は、右半分を縦断面図で示した本発明の別の実施例の固形物を液体で溶解する状態を説明する固形物溶解用容器の正面図、図７は、図６の固形物溶解用容器の縦断面図である。
【００８５】
この実施例の固形物溶解用容器１０は、図１に示した固形物溶解用容器１０と基本的には同様な構成であり、同一の構成部材には、同一の参照番号を付して、その詳細な説明を省略する。
【００８６】
この実施例の固形物溶解用容器１０は、図４〜図７に示したように、帯状係止部３６、破断部３８を備えていない、通常のネジ式の外キャップ部材２６から構成されている。
【００８７】
なお、この実施例では、固形物Ｂの液体による溶解に際して、後述する固形物溶解用キット１の中栓部材３を、容器本体１２の口部１４に装着している状態を示している。
【００８８】
この場合にも、上記実施例１の固形物溶解用容器１０と同様な作用効果を奏することができる。
【実施例４】
【００８９】
図８は、本発明の固形物溶解用キットの概略図、図９〜図１１は、本発明の固形物溶解用キットの使用方法を説明する概略図である。
【００９０】
この実施例の固形物溶解用キット１に用いられる固形物溶解用容器１０は、図２〜図３に示した実施例２の固形物溶解用容器１０と基本的には同様な構成であり、同一の構成部材には、同一の参照番号を付して、その詳細な説明を省略する。
【００９１】
図８に示したように、この実施例の固形物溶解用キット１は、図２〜図３に示した実施例２の固形物溶解用容器１０自体で固形物溶解用キット１を構成している。なお、一点鎖線で固形物溶解用キット１を示しており、この固形物溶解用キット１は、例えば、ビニール袋、箱などに固形物溶解用キット１を構成する部材を梱包するなどされるものである。
【００９２】
以下に、固形物溶解用キット１を用いて、使用時に液体によって固形物Ｂを溶解する固形物溶解用キットの使用方法について、図９〜図１１に基づいて説明する。
【００９３】
先ず、図９（Ａ）に示したように、液体Ｃが収容された溶解液容器５８を準備する。この溶解液容器５８の容器本体６０の口部６２には、キャップ部材６４が脱着自在に装着されている。
【００９４】
なお、この実施例では、液体Ｃを収容する溶解液容器５８について説明するが、液体Ｃ、およびその収容容器の種類としては、特に限定されるものではなく、液体Ｃとしては、ペットボトル入りの飲料水、イオン水、パック入りの牛乳、ジュースなど適宜選択できる。また、収容容器を使用しないで、例えば、水道やイオン水タンクのコックなどから直接注ぐことも可能である、
そして、図９（Ａ）に示したように、固形物溶解用容器１０において、図９（Ａ）の矢印Ｂ方向、すなわち、外キャップ部材２６を容器本体１２の方向に押圧しながら、図９（Ａ）の矢印Ａ方向、すなわち、開蓋方向に外キャップ部材２６を回転することによって、外キャップ部材２６を、固形物溶解用容器１０の容器本体１２の口部１４から取り外す。
【００９５】
このように、外キャップ部材２６を容器本体１２の口部１４から取り外した状態では、カップ部材１８が、容器本体１２の口部１４の内壁１６に係止された状態であり、液体Ｃを固形物溶解用容器１０の容器本体１２に注入することができない状態となっている。
【００９６】
このため、図９（Ｂ）に示したように、固形物溶解用容器１０の容器本体１２の口部１４から、品質保持剤Ａを収容したカップ部材１８を取り外す。
【００９７】
そして、図９（Ｃ）に示したように、カップ部材１８から品質保持剤Ａを取り出す。また、溶解液容器５８の容器本体６０の口部６２から、キャップ部材６４を取り外す。
【００９８】
次に、図９（Ｄ）に示したように、溶解液容器５８の容器本体６０から、液体Ｃを固形物溶解用容器１０の容器本体１２内に注入する。
【００９９】
そして、図１０（Ａ）に示したように、品質保持剤Ａを取り出した内キャップ部材１８を、再び、固形物溶解用容器１０の容器本体１２の口部１４に、内キャップ部材１８を装着する。
【０１００】
その後、図１０（Ｂ）に示したように、いったん容器本体１２の口部１４から開蓋した外キャップ部材２６を、再び、図１０（Ｂ）の矢印Ｃ方向に、すなわち、閉蓋方向に外キャップ部材２６を回転することによって、固形物溶解用容器１０の容器本体１２の口部１４に、再び外キャップ部材２６を係止する。
【０１０１】
この状態で、図１０（Ｃ）、（Ｄ）に示したように、固形物溶解用容器１０を、例えば、傾けたり、振ることによって、容器本体１２内の固形物Ｂと液体Ｃを撹拌して溶解させる。
【０１０２】
そして、このように容器本体１２内の固形物Ｂと液体Ｃを撹拌して溶解させた後、図１１（Ａ）に示したように、再び、図１の矢印Ｂ方向、すなわち、外キャップ部材２６を容器本体１２の方向に押圧しながら、図１の矢印Ａ方向、すなわち、開蓋方向に外キャップ部材２６を回転することによって、外キャップ部材２６を、固形物溶解用容器１０の容器本体１２の口部１４から取り外す。
【０１０３】
なお、この場合、固形物Ｂが、液体Ｃを注入した際に容易に溶解する物質であれば、この撹拌ステップはなくても良く、図１０（Ａ）に示したような、再び、固形物溶解用容器１０の容器本体１２の口部１４に、カップ部材１８を装着するステップ、図１１（Ｂ）に示したように、再び、外キャップ部材２６を、固形物溶解用容器１０の容器本体１２の口部１４から取り外すステップは不要である（以下の実施例においても同様である）。
【０１０４】
次に、図１１（Ｂ）に示したように、固形物溶解用容器１０の容器本体１２の口部１４から、カップ部材１８を取り外す。
【０１０５】
そして、図１１（Ｃ）に示したように、このカップ部材１８自体を、計量カップとして使用して、液体Ｃによって溶解された固形物Ｂを計量する。
【０１０６】
これにより、図１１（Ｄ）に示したように、カップ部材１８自体に計量した液体Ｃによって溶解された固形物Ｂを使用できるとともに、固形物溶解用容器１０に収容した液体Ｃによって溶解された固形物Ｂを保存することができる。
【０１０７】
このように構成することによって、上記実施例１の固形物溶解用容器１０と同様な作用効果を奏することができるとともに、カップ部材１８が、使用時に液体によって溶解された固形物Ｂを計量するための計量カップとして使用可能であるので、別途計量カップを準備する必要がなく極めて便利である。
【０１０８】
なお、この実施例では、液体Ｃを固形物溶解用容器１０の容器本体１２内に注入した後に、図１０（Ａ）に示したように、品質保持剤Ａを取り出したカップ部材１８を、再び、固形物溶解用容器１０の容器本体１２の口部１４に、カップ部材１８を装着しており、この場合には、カップ部材１８が紛失することがなく、便利である。
【０１０９】
しかしながら、固形物溶解用容器１０の容器本体１２の口部１４に、カップ部材１８を装着しないで、別途別に置いておいて、計量する際に使用することももちろん可能である。この場合には、カップ部材１８の外側が液体によって溶解された固形物Ｂが付着しないので衛生的である。
【実施例５】
【０１１０】
図１２は、本発明の固形物溶解用キットの概略図、図１３〜図１５は、本発明の固形物溶解用キットの使用方法を説明する概略図である。
【０１１１】
この実施例の固形物溶解用キット１に用いられる固形物溶解用容器１０は、図１に示した実施例１の固形物溶解用容器１０と基本的には同様な構成であり、同一の構成部材には、同一の参照番号を付して、その詳細な説明を省略する。
【０１１２】
図１２に示したように、この実施例の固形物溶解用キット１は、図１に示した実施例１の固形物溶解用容器１０と、使用時に液体Ｃによって溶解された固形物Ｂを計量するための計量カップ２を備えている。
【０１１３】
すなわち、上記実施例４では、カップ部材１８から品質保持剤Ａを取り出し、このカップ部材１８自体を、計量カップとして使用して、液体Ｃによって溶解された固形物Ｂを計量するように構成している。
【０１１４】
これに対して、この実施例では、固形物溶解用キット１に備えられた計量カップ２を使用して、液体Ｃによって溶解された固形物Ｂを計量するように構成している。
【０１１５】
以下に、固形物溶解用キット１を用いて、使用時に液体によって固形物Ｂを溶解する固形物溶解用キットの使用方法について、図１３〜図１５に基づいて説明する。
【０１１６】
先ず、図１３（Ａ）に示したように、液体Ｃが収容された溶解液容器５８を準備する。この溶解液容器５８の容器本体６０の口部６２には、キャップ部材６４が脱着自在に装着されている。
【０１１７】
そして、図１３（Ａ）に示したように、固形物溶解用容器１０において、図１３（Ｂ）の矢印Ｂ方向、すなわち、外キャップ部材２６を容器本体１２の方向に押圧しながら、図１３（Ｂ）の矢印Ａ方向、すなわち、開蓋方向に外キャップ部材２６を回転することによって、外キャップ部材２６を、固形物溶解用容器１０の容器本体１２の口部１４から取り外す。
【０１１８】
このように、外キャップ部材２６を容器本体１２の口部１４から取り外した状態では、カップ部材１８が、容器本体１２の口部１４の内壁１６に係止された状態であり、液体Ｃを固形物溶解用容器１０の容器本体１２に注入することができない状態となっている。
【０１１９】
このため、図１３（Ｂ）に示したように、固形物溶解用容器１０の容器本体１２の口部１４から、品質保持剤Ａを収容したカップ部材１８を取り外す。また、溶解液容器５８の容器本体６０の口部６２から、キャップ部材６４を取り外す。
【０１２０】
次に、図１３（Ｃ）に示したように、溶解液容器５８の容器本体６０から、液体Ｃを固形物溶解用容器１０の容器本体１２内に注入する。
【０１２１】
そして、図１４（Ａ）に示したように、いったん容器本体１２の口部１４から開蓋した外キャップ部材２６を、再び、図１４（Ｂ）の矢印Ｃ方向に、すなわち、閉蓋方向に外キャップ部材２６を回転することによって、固形物溶解用容器１０の容器本体１２の口部１４に、再び外キャップ部材２６を係止する。
【０１２２】
なお、この実施例では、液体Ｃを固形物溶解用容器１０の容器本体１２内に注入した後に、図１４（Ａ）に示したように、品質保持剤Ａを取り出したカップ部材１８を、再び、固形物溶解用容器１０の容器本体１２の口部１４に、カップ部材１８を装着するようにしており、この場合には、カップ部材１８が紛失することがなく、便利である。
【０１２３】
しかしながら、固形物溶解用容器１０の容器本体１２の口部１４に、カップ部材１８を装着しないで、別途別に置いておいて、計量する際に使用することももちろん可能である。この場合には、カップ部材１８の外側が液体によって溶解された固形物Ｂが付着しないので衛生的である。
【０１２４】
この状態で、図１４（Ｂ）、（Ｃ）に示したように、固形物溶解用容器１０を、例えば、傾けたり、振ることによって、容器本体１２内の固形物Ｂと液体Ｃを撹拌して溶解させる。
【０１２５】
そして、このように容器本体１２内の固形物Ｂと液体Ｃを撹拌して溶解させた後、図１５（Ａ）に示したように、再び、図１の矢印Ｂ方向、すなわち、外キャップ部材２６を容器本体１２の方向に押圧しながら、図１の矢印Ａ方向、すなわち、開蓋方向に外キャップ部材２６を回転することによって、外キャップ部材２６を、固形物溶解用容器１０の容器本体１２の口部１４から取り外す。
【０１２６】
そして、図１５（Ｂ）に示したように、固形物溶解用キット１に備えられた計量カップ２を使用して、液体Ｃによって溶解された固形物Ｂを計量する。
【０１２７】
最後に、図１５（Ｃ）に示したように、いったん容器本体１２の口部１４から開蓋した外キャップ部材２６を、再び、図１５（Ｃ）の矢印Ｃ方向に、すなわち、閉蓋方向に外キャップ部材２６を回転することによって、固形物溶解用容器１０の容器本体１２の口部１４に、再び外キャップ部材２６を係止する。
【０１２８】
これにより、カップ部材１８自体に計量した液体Ｃによって溶解された固形物Ｂを使用できるとともに、固形物溶解用容器１０に収容した液体Ｃによって溶解された固形物Ｂを保存することができる。
【０１２９】
このように構成することによって、固形物溶解用キット１に備えられた計量カップ２によって、液体Ｃによって溶解された固形物Ｂを計量することができるので、カップ部材１８から品質保持剤Ａを取り外す操作が不要となる。
【０１３０】
なお、この実施例では、図１に示した実施例１の固形物溶解用容器１０を用いたが、通常のネジ式の外キャップ部材２６から構成した実施例３の固形物溶解用容器１０を用いることもでき、ほぼ同様の固形物溶解用キットの使用方法を適用することができる。
【実施例６】
【０１３１】
図１６は、本発明の固形物溶解用キットの概略図、図１７〜図１８は、本発明の固形物溶解用キットの使用方法を説明する概略図である。
【０１３２】
この実施例の固形物溶解用キット１に用いられる固形物溶解用容器１０は、図１に示した実施例１の固形物溶解用容器１０と基本的には同様な構成であり、同一の構成部材には、同一の参照番号を付して、その詳細な説明を省略する。
【０１３３】
図１６に示したように、この実施例の固形物溶解用キット１は、図１に示した実施例１の固形物溶解用容器１０と、中栓部材３を備えている。
【０１３４】
この中栓部材３は、有底筒状の形状で、その頂壁に取り出し開口部４が形成されており、後述するように、使用時に、容器本体１２の口部１４からカップ部材１８を取り外して、固形物溶解用容器１０内に液体Ｃを注入した後に、容器本体１２の口部１４に装着された際に、取り出し開口部４を介して、容器本体１２から溶解した固形物Ｂを取り出すことができるように構成されている。
【０１３５】
また、中栓部材３は、その側壁の外周に複数のシール部５が形成されており、容器本体１２の口部１４に装着された際に内壁１６に周接して気密性を保持するように構成されている。
【０１３６】
以下に、固形物溶解用キット１を用いて、使用時に液体Ｃによって固形物Ｂを溶解する固形物溶解用キットの使用方法について、図１７〜図１８に基づいて説明する。
【０１３７】
なお、溶解液容器５８の容器本体６０から、液体Ｃを固形物溶解用容器１０の容器本体１２内に注入するステップまでは、上記した実施例５の図１３（Ａ）〜（Ｃ）までのステップと同様であるので、説明は省略する。
【０１３８】
このように、液体Ｃを固形物溶解用容器１０の容器本体１２内に注入した後、図１７（Ａ）に示したように、容器本体１２の口部１４に中栓部材３を装着する。
【０１３９】
そして、図１７（Ｂ）に示したように、いったん容器本体１２の口部１４から開蓋した外キャップ部材２６を、再び、図１７（Ｂ）の矢印Ｃ方向に、すなわち、閉蓋方向に外キャップ部材２６を回転することによって、固形物溶解用容器１０の容器本体１２の口部１４に、再び外キャップ部材２６を係止する。
【０１４０】
なお、この状態で、中栓部材３の取り出し開口部４は、シールキャップ部材４８の中央に下方に突設するように形成した封止シール部４８ａが嵌合してシールするように構成されている。また、中栓部材３が容器本体１２の口部１４に対して中途半端に打栓されている場合は、この閉蓋する行為により、中栓部材３が適切な位置に押し込まれるので、シールキャップ部材４８との間で液漏れが起こることもない。
【０１４１】
この状態で、図１７（Ｃ）、（Ｄ）に示したように、固形物溶解用容器１０を、例えば、傾けたり、振ることによって、容器本体１２内の固形物Ｂと液体Ｃを撹拌して溶解させる。
【０１４２】
そして、このように容器本体１２内の固形物Ｂと液体Ｃを撹拌して溶解させた後、図１８（Ａ）に示したように、再び、図１の矢印Ｂ方向、すなわち、外キャップ部材２６を容器本体１２の方向に押圧しながら、図１の矢印Ａ方向、すなわち、開蓋方向に外キャップ部材２６を回転することによって、外キャップ部材２６を、固形物溶解用容器１０の容器本体１２の口部１４から取り外す。
【０１４３】
この状態で、図１８（Ｂ）に示したように、固形物溶解用容器１０を傾けて、図１８（Ｃ）の矢印で示したように、容器本体１２が押圧可能な材料から構成されているので、容器本体１２を押圧することによって、中栓部材３の取り出し開口部４を介して、容器本体から溶解した固形物Ｂを取り出す。
【０１４４】
このように構成することによって、押圧可能な材料から構成された容器本体１２を押圧することによって、中栓部材３の取り出し開口部４を介して、容器本体１２から溶解した固形物Ｂを取り出すことができ、別途注入器、計量カップなどを必要としない、例えば、経皮吸収、経粘膜、経耳や、塗布剤などの液体以外の外用剤として使用する場合にそのまま使用でき極めて便利である、
この場合、固形物Ｂが、経皮吸収、経粘膜、経耳や、塗布剤などの液体以外の外用剤の場合には、直接皮膚などに滴下するようにしても良いが、別途計量カップで計量するようにすることも可能である。
【０１４５】
また、図示しないが、中栓部材３の取り出し開口部４が、弁などによって開閉可能に構成されていてもよい。このように構成することによって、不用意に中栓部材３の取り出し開口部４を介して、流体に溶解した固形物Ｂが容器本体から漏洩するのを防止することができる。
【実施例７】
【０１４６】
図１９は、本発明の固形物溶解用キットの概略図、図２０は、本発明の固形物溶解用キットの使用方法を説明する概略図である。
【０１４７】
この実施例の固形物溶解用キット１に用いられる固形物溶解用容器１０は、図１に示した実施例１の固形物溶解用容器１０と基本的には同様な構成であり、同一の構成部材には、同一の参照番号を付して、その詳細な説明を省略する。
【０１４８】
また、図１９に示したように、図１６に示した実施例６と同様に、この実施例の固形物溶解用キット１は、図１に示した実施例１の固形物溶解用容器１０と、中栓部材３を備えている。さらに、この実施例の固形物溶解用キット１は、容器本体から溶解した固形物を取り出すことが可能な注入器６を備えている。
【０１４９】
この注入器６は、シリンジ本体７とピストン部材８とから構成される通常の注入器である。
【０１５０】
以下に、固形物溶解用キット１を用いて、使用時に液体によって固形物Ｂを溶解する固形物溶解用キットの使用方法について、図２０に基づいて説明する。
【０１５１】
なお、溶解液容器５８の容器本体６０から、液体Ｃを固形物溶解用容器１０の容器本体１２内に注入するステップまでは、上記した実施例５の図１３（Ａ）〜（Ｃ）までのステップと同様であるので、説明は省略する。
【０１５２】
また、容器本体１２内の固形物Ｂと液体Ｃを撹拌して溶解させるステップについても、上記した実施例６の図１７（Ａ）〜（Ｃ）までのステップと同様であるので、説明は省略する。
【０１５３】
そして、このように容器本体１２内の固形物Ｂと液体Ｃを撹拌して溶解させた後、図２０（Ａ）に示したように、再び、図１の矢印Ｂ方向、すなわち、外キャップ部材２６を容器本体１２の方向に押圧しながら、図１の矢印Ａ方向、すなわち、開蓋方向に外キャップ部材２６を回転することによって、外キャップ部材２６を、固形物溶解用容器１０の容器本体１２の口部１４から取り外す。
【０１５４】
この状態で、図２０（Ｂ）に示したように、注入器６のシリンジ本体７の先端９を、中栓部材３の取り出し開口部４に挿入して装着する。
【０１５５】
その後、図２０（Ｃ）、（Ｄ）に示したように、固形物溶解用容器１０の容器本体１２を傾けて、注入器６のピストン部材８を引くことによって、所定量の液体に溶解した固形物Ｂを注入器６のシリンジ本体７に吸引する。
【０１５６】
そして、最後に、図２０（Ｅ）に示したように、中栓部材３の取り出し開口部４から注入器６を取り外す。また、いったん容器本体１２の口部１４から開蓋した外キャップ部材２６を、再び、図２０（Ｅ）の矢印Ｃ方向に、すなわち、閉蓋方向に外キャップ部材２６を回転することによって、固形物溶解用容器１０の容器本体１２の口部１４に、再び外キャップ部材２６を係止する。
【０１５７】
これにより、注入器６に計量した液体Ｃによって溶解された固形物Ｂを使用できるとともに、固形物溶解用容器１０に収容した液体Ｃによって溶解された固形物Ｂを保存することができる。
【０１５８】
このように構成することによって、外キャップ部材２６を再び容器本体１２の口部１４から取り外して、注入器６を、中栓部材３の取り出し開口部４に装着して、容器本体１２から溶解した固形物Ｂを取り出すことができ、注入器６で正確な計量ができるとともに、周囲を汚染することがなく極めて便利である。
【０１５９】
また、図示しないが、中栓部材３の取り出し開口部４が、弁などによって開閉可能に構成されていてもよい。このように構成することによって、注入器６の先端９を中栓部材３の取り出し開口部４に挿入して装着した際に、弁が開くようにしておけば、中栓部材３の取り出し開口部４が開放されるので便利である。
【０１６０】
さらに、図示しないが、中栓部材３の取り出し開口部４に、薄膜の十字形状のスリットを設けておき、注入器６の先端９を中栓部材３の取り出し開口部４に挿入して装着した際に、注入器６の先端９が、薄膜の十字形状のスリットを開くようにしておけば、中栓部材３の取り出し開口部４が開放されるので便利である。
【０１６１】
以上、本発明の好ましい実施の態様を説明してきたが、本発明はこれに限定されることはなく、例えば、上記実施例では、シリンジ形状の注入器６を用いたが、チューブ状の注入器６として、使用することも可能である。
【０１６２】
また、固形物溶解用キット１に、必要に応じて、溶解液容器５８を加えることも可能であるなど本発明の目的を逸脱しない範囲で種々の変更が可能である。
【産業上の利用可能性】
【０１６３】
本発明は、例えば、顆粒剤、粉末剤、錠剤などの固形物で、保存の際には、品質保持剤を必要とし、使用時に液体による溶解が必要な固形物のための固形物溶解用容器、および固形物溶解用キット、ならびに固形物溶解用キットの使用方法に適用することができる。
【符号の説明】
【０１６４】
１     固形物溶解用キット
２     計量カップ
３     中栓部材
４     開口部
５     シール部
６     注入器
７     シリンジ本体
８     ピストン部材
９     先端
１０   固形物溶解用容器
１２   容器本体
１４   口部
１６   内壁
１８   カップ部材
１８ａ 側壁
１８ｂ 通気孔
２０   フランジ
２０ａ 通気用溝部
２２   段部
２４   摘み片
２６   外キャップ部材
２８   キャップ本体
３０   頂壁
３２   側壁
３２ａ 係止用凸部
３４   係止フランジ
３６   帯状係止部
３６   帯状係止部
３８   破断部
４０   係止片
４２   雌ネジ
４４   雄ネジ
４６   係合部
４８   シールキャップ部材
４８ａ 封止シール部
５０   シール部
５２ａ 係止用フランジ
５４   頂壁
５６   側壁
５８   溶解液容器
６０   容器本体
６２   口部
６４   キャップ部材
６６   操作用溝部
６８   開蓋用回転当接片
７０   回転用当接片
７２   バネ当接部
７４   バネ片
７２   テーパー部
１００ 容器
１０２ 外蓋部材
１０４ ポケット部材
１０６ 破断部
１０８ 容器本体
１１０ 口部
Ａ     品質保持剤
Ｂ     固形物
Ｃ     液体
【図１】
2013133123.tif 000003
【図２】
2013133123.tif 000004
【図３】
2013133123.tif 000005
【図４】
2013133123.tif 000006
【図５】
2013133123.tif 000007
【図６】
2013133123.tif 000008
【図７】
2013133123.tif 000009
【図８】
2013133123.tif 000010
【図９】
2013133123.tif 000011
【図１０】
2013133123.tif 000012
【図１１】
2013133123.tif 000013
【図１２】
2013133123.tif 000014
【図１３】
2013133123.tif 000015
【図１４】
2013133123.tif 000016
【図１５】
2013133123.tif 000017
【図１６】
2013133123.tif 000018
【図１７】
2013133123.tif 000019
【図１８】
2013133123.tif 000020
【図１９】
2013133123.tif 000021
【図２０】
2013133123.tif 000022
【図２１】
2013133123.tif 000023